(57)【要約】悪臭中和剤製品の有効性を実証する方法であって、  ａ）２つの臭いのある布地物品のうちの１つを悪臭中和剤製品で処理する工程であって、２つの臭いのある布地物品は、悪臭化合物を含み、変色指示薬で処理され、変色指示薬は、悪臭化合物との相互作用時に変色するように構成されている、工程と、  ｂ）２つの無臭の布地物品のうちの１つを含む第１の密閉環境に、２つの臭いのある布地物品のうちの処理された１つを提供する工程であって、２つの無臭の布地物品は変色指示薬で処理される、工程と、  ｃ）２つの無臭の布地物品のうちの他方を含む第２の密閉環境に、２つの臭いのある布地物品のうちの他方を提供する工程と、  ｄ）第１の密閉環境内の２つの無臭の布地物品のうちの１つと、第２の密閉環境内の２つの無臭の布地物品のうちの他方との間に色差を生じさせるのに十分な時間、第１及び第２の密閉環境内に臭いのある布地物品及び無臭の布地物品を放置したままにする工程と、を含む、方法。
2019518201.tif 000002
【特許請求の範囲】
【請求項１】
悪臭中和剤製品の有効性を実証する方法であって、
ａ）２つの臭いのある布地物品のうちの１つを悪臭中和剤製品で処理する工程であって、前記２つの臭いのある布地物品は、悪臭化合物を含み、変色指示薬で処理され、前記変色指示薬は、悪臭化合物との相互作用時に変色するように構成されている、工程と、
ｂ）２つの無臭の布地物品のうちの１つを含む第１の密閉環境に、前記２つの臭いのある布地物品のうちの前記処理された１つを提供する工程であって、前記２つの無臭の布地物品は前記変色指示薬で処理される、工程と、
ｃ）２つの無臭の布地物品のうちの他方を含む第２の密閉環境に、前記２つの臭いのある布地物品のうちの他方を提供する工程と、
ｄ）前記第１の密閉環境内の２つの無臭の布地物品のうちの前記１つと、前記第２の密閉環境内の前記２つの無臭の布地物品のうちの前記他方との間に色差を生じさせるのに十分な時間、前記第１及び第２の密閉環境内に前記臭いのある布地物品及び前記無臭の布地物品を放置したままにする工程と、を含む、方法。
【請求項２】
工程（ａ）に先立って、
２つの無臭の布地物品を悪臭化合物に曝露して、２つの臭いのある布地物品を形成することを更に含む、請求項１に記載の方法。
【請求項３】
工程（ａ）が、
前記２つの臭いのある布地物品のうちの１つに前記悪臭中和剤製品を吹き付けることを含む、請求項１に記載の方法。
【請求項４】
前記悪臭化合物が前記変色指示薬を含む、請求項１に記載の方法。
【請求項５】
前記悪臭化合物が、アンモニア、チオール類、アルデヒド類、アミン類、硫化物類、脂肪酸類、アルコール類、及びこれらの混合物からなる群から選択される悪臭物質を含む、請求項１に記載の方法。
【請求項６】
前記２つの臭いのある布地物品が、家庭用、車両用及び／又は個人用物品で使用される少なくとも１つの布地を含む、請求項１に記載の方法。
【請求項７】
工程（ｂ）が、前記処理された臭いのある布地物品を、前記２つの無臭の布地物品のうちの前記１つと直接接触させることを含む、請求項１に記載の方法。
【請求項８】
工程（ｃ）が、前記臭いのある布地物品のうちの前記他方を、前記２つの無臭の布地物品のうちの前記他方と直接接触させることを含む、請求項１に記載の方法。
【請求項９】
ディスプレイ上に表示するために、工程（ａ）〜（ｄ）を生じさせることを更に含み、前記ディスプレイは、前記第１及び第２の密閉環境のそれぞれにおける透明窓である、請求項１に記載の方法。
【請求項１０】
ディスプレイ上に表示するために、工程（ａ）〜（ｄ）を生じさせることを更に含み、前記ディスプレイは、前記第１及び第２の密閉環境から遠隔にあり、前記ディスプレイは、コンピューティングデバイス又はテレビの表示画面である、請求項１に記載の方法。
【請求項１１】
前記悪臭中和剤製品が、前記悪臭化合物を吸収又は中和する悪臭中和剤成分を含む、請求項１に記載の方法。
【請求項１２】
前記無臭の布地物品及び前記臭いのある布地物品が、綿ポリエステル混紡、絹、綿、又はそれらの混合物のうちの１つを含む、請求項１に記載の方法。
【請求項１３】
前記悪臭化合物が塩基性悪臭物質であり、前記変色指示薬がフェノールフタレインである、請求項１に記載の方法。
【請求項１４】
悪臭中和剤製品の有効性を実証する方法を実証するためのキットであって、
変色指示薬で処理するための複数の無臭の布地物品と、
前記複数の無臭の布地物品のうちの２つを悪臭化合物に曝露して、臭いのある布地物品を提供するための第１のチャンバと、
前記臭いのある布地物品のうちの１つを前記複数の無臭の布地物品のうちの１つと一緒に置くための第２のチャンバと、
前記臭いのある布地物品のうちの別の１つを前記複数の無臭の布地物品のうちの別の１つと一緒に置くための第３のチャンバと、を含み、前記臭いのある布地物品のうちの前記１つ又は前記別の１つのいずれかが、悪臭中和剤製品による処理用である、キット。
【請求項１５】
前記無臭の布地物品が、綿ポリエステル混紡、絹、綿、又はそれらの混合物のうちの１つを含む、請求項１４に記載のキット。
【発明の詳細な説明】
【技術分野】
【０００１】
本発明は、悪臭中和剤製品の有効性を実証する方法、及びその方法を実証するように適合されたキットに関する。
【背景技術】
【０００２】
悪臭は、空気中並びに布地等の多数の生地及び硬質面上に存在するいやな臭いである。家庭及び環境の悪臭に寄与する薬剤としては、例えば、アンモニア、アミン類、チオール類、硫化物、短鎖脂肪族及びオレフィン類、例えば脂肪酸が挙げられる。
【０００３】
空気及び布地清浄製品などの脱臭剤が、かかる悪臭を中和するために開発されてきた。しかし、悪臭は一般に不可視であるため、テレビ上又はインターネット上で消費者に消臭剤の悪臭除去性能を示すことは困難である。
【０００４】
国際出願ＰＣＴ／ＵＳ２００５／００７５５３（国際公開第２００５／０８６８０６（Ａ２））号は、消臭剤を広告するための広告方法を記載している。この方法は、広告又は販売促進される消臭製品（「販促製品」）及び別の消臭製品（「比較製品」）を準備する工程と、少なくとも２つの別個の閉空間を準備する工程と、その後任意の順番で、閉空間のうちの１つの中に販促製品を置く工程と、それぞれの閉空間内に変色指示薬を含む材料を置く工程であって、材料としては、紙、布、不織材料及び／又はプラスチックが挙げられる、工程と、閉空間のそれぞれに悪臭物質を追加し、それによって変色指示薬に変色を生じさせる工程と、を含む。
【先行技術文献】
【特許文献】
【０００５】
【特許文献１】国際出願ＰＣＴ／ＵＳ２００５／００７５５３
【特許文献２】国際公開第２００５／０８６８０６（Ａ２）
【発明の概要】
【発明が解決しようとする課題】
【０００６】
しかし、悪臭中和剤製品の有効性を実証する方法の必要性が残されている。
【課題を解決するための手段】
【０００７】
本発明は、悪臭中和剤製品の有効性を実証する方法であって、
ａ）２つの臭いのある布地物品のうちの１つを悪臭中和剤製品で処理する工程であって、２つの臭いのある布地物品は、悪臭化合物を含み、変色指示薬で処理され、変色指示薬は、悪臭化合物との相互作用時に変色するように構成されている、工程と、
ｂ）２つの無臭の布地物品のうちの１つを含む第１の密閉環境に、２つの臭いのある布地物品のうちの処理された１つを提供する工程であって、２つの無臭の布地製品は変色指示薬で処理される、工程と、
ｃ）２つの無臭の布地物品のうちの他方を含む第２の密閉環境に、２つの臭いのある布地物品のうちの他方を提供する工程と、
ｄ）第１の密閉環境内の２つの無臭の布地物品のうちの１つと、第２の密閉環境内の２つの無臭の布地物品のうちの他方との間に色差を生じさせるのに十分な時間、第１及び第２の密閉環境内に臭いのある布地物品及び無臭の布地物品を放置したままにする工程と、を含む、方法に関する。
【０００８】
悪臭のある布地を悪臭のない布地に曝露すると、しばしば、悪臭のある布地から他の清潔な布地への悪臭の放出を招き、密閉空間内の悪臭に寄与することになる。具体的には、悪臭のある布地を他の清潔な布地に近接させると、悪臭は清潔な布地に移行し、それによってそれらの布地を汚染する。この結果、悪臭を帯びた布地が他の清潔な布地を汚染し、それゆえに臭気のサイクルを生じさせ得る様子と、悪臭を帯びた布地に悪臭中和剤製品を吹き付けたときに、悪臭が中和及び／又は吸収されて、他の清潔な布地を汚染し得ないことと、が簡単に可視化される。結果として、臭気のサイクルは大幅に軽減されるか、又は完全に停止される。
【図面の簡単な説明】
【０００９】
【図１】悪臭中和剤製品の有効性を実証する方法を実証するためのキットの概略図である。
【図２】変色指示薬と、変色指示薬が変色する近似のｐＨ範囲及びその色の変化との関係を示すグラフである。
【図３Ａ】悪臭中和剤製品の有効性を実証する方法のフローチャートである。
【図３Ｂ】図３Ａの方法の変更例である。
【図４Ａ】悪臭中和剤製品の有効性を実証するための製品の実証プロセス図である。
【図４Ｂ】悪臭中和剤製品の有効性を実証するための製品の実証プロセス図である。
【図４Ｃ】悪臭中和剤製品の有効性を実証するための製品の実証プロセス図である。
【図４Ｄ】悪臭中和剤製品の有効性を実証するための製品の実証プロセス図である。
【図４Ｅ】悪臭中和剤製品の有効性を実証するための製品の実証プロセス図である。
【図４Ｆ】悪臭中和剤製品の有効性を実証するための製品の実証プロセス図である。
【図４Ｇ】悪臭中和剤製品の有効性を実証するための製品の実証プロセス図である。
【発明を実施するための形態】
【００１０】
悪臭中和剤製品は、布地、並びに家及び車などの消費者が占有する閉空間に存在する悪臭を除去するために使用されてきた。本発明は、悪臭中和剤製品の有効性を可視化する方法、及びその方法を実証するためのキットを対象とする。
【００１１】
本明細書で使用するとき、用語「閉空間」は、家庭環境、商用環境、又は車両環境内の実質的に密閉された空間容積を含む。
【００１２】
本明細書で使用するとき、用語「悪臭中和剤製品」は、悪臭を吸収する又は中和することによって、布地物品から及び／又は閉空間内の空気から悪臭を除去するための悪臭中和剤成分を含む製品を含む。好適な悪臭中和剤製品の非限定的な例は、Ｆｅｂｒｅｚｅ（登録商標）及びＦｅｂｒｅｚｅ  Ｆａｂｒｉｃ  Ｒｅｆｒｅｓｈｅｒ（商標）の商品名で市販されている臭気制御組成物を含む。
【００１３】
図１は、本発明による悪臭中和剤製品の有効性を実証する方法１００を実証するための携帯用キット１０の概略図であり、図３Ａは、方法１００のフローチャートである。キット１０は、方法１００を実証するための店内の固定ディスプレイ又は携帯用ディスプレイとして使用される、販売促進用品（point of sale material、ＰＯＳＭ）であってもよい。図１に示すように、キット１０は、第１の布地物品２０、第２の布地物品２１、第１及び第２の布地物品２０、２１を受容するための第１のチャンバ３０、第３の布地物品２２を含む第２のチャンバ３１、及び第４の布地物品２３を含む第３のチャンバ３２を含む。チャンバ３０、３１、３２は、異なる場所間に携帯でき、かつ容易に輸送できるように寸法決めされ、構成された別個のユニットとして構成されてもよく、又は店内のＰＯＳＭとして使用される場合には別個のチャンバを有する単一ユニットを形成するように統合されたものとして構成されてもよい。
【００１４】
チャンバ３０、３１、３２のそれぞれは、少なくとも２つの布地物品を受容するための閉空間をそれぞれ画定する。それぞれのチャンバ３０、３１、３２は、長さＬ、幅Ｗ、高さＨを有してもよく、閉空間の容積は、閉空間内に置かれる布地物品の寸法によって変化してもよい。
【００１５】
チャンバ３０、３１、３２は、閉空間の外部から変色を見ることができるように、透明又は半透明の材料で構成されてもよい。
【００１６】
第１、第２、第３及び第４の布地物品２０、２１、２２、２３は、悪臭化合物に曝露されたときに変色を呈することができる変色指示薬で予め処理されてもよい。悪臭化合物は酸性又は塩基性悪臭のいずれかに属してもよく、変色指示薬は、悪臭化合物の視覚的検出を可能にするために、それに応じて選択されてもよいことが理解されよう。例えば、悪臭化合物は、アンモニア、細菌、チオール類、アルデヒド類、アミン類、硫化物類、脂肪酸類、アルコール類、及びこれらの混合物からなる群から選択される悪臭物質を含み得る。
【００１７】
変色指示薬は、ブロモクレゾールグリーン、ブロモクレゾールパープル、メチルオレンジ、メチルレッド、ブロモチモールブルー、チモールブルー、フェノールレッド、ニュートラルレッド、クレゾールレッド、クレゾールフタレイン、ナフトールフタレイン、フェノールフタレイン、チモールフタレインからなる群から選択されるｐＨ感受性染料を含んでもよい。図２は、変色指示薬と、変色指示薬が変色する近似のｐＨ範囲及びその色の変化との関係を示すグラフである。
【００１８】
具体的には、悪臭化合物が布地物品に存在する変色指示薬と相互作用すると、変色指示薬は、低ｐＨ色から高ｐＨ色に変色して、悪臭化合物に起因するｐＨレベルの上昇を示す。
【００１９】
第３及び第４の布地物品２２、２３は、それぞれ第２及び第３のチャンバ３１、３２内に着脱自在に取り付けられてもよい。方法１００を実施する前に、第１、第２、第３及び第４の布地物品２０、２１、２２及び２３は、実質的に悪臭を含まず（「無臭」）、白色などの第１の色を含んでもよい。
【００２０】
図３Ａに示すように方法１００を実施する前に、第１及び第２の布地物品２０、２１を悪臭化合物に曝露して、２つの臭いのある布地物品２０、２１を形成してもよい。悪臭化合物は、悪臭化合物が肉眼に見える色を呈するように、ｐＨ感受性染料などの変色指示薬を含んでもよい。第３及び第４の布地物品２２、２３は、無臭の布地物品のままである。
【００２１】
図３Ａを参照すると、方法１００は、臭いのある布地物品２０、２１のうちの１つを悪臭中和剤製品１３で処理し（図３Ｄに表示）、臭いのある物品２０、２１のうちの他方を未処理とすることを含む。悪臭化合物の色は、消費者が悪臭化合物を可視化できるように、第１、第２、第３及び第４の布地物品２０、２１、２２、２３の第１の色と異なる。２つの無臭の布地物品２２、２３のうちの１つを含む第１の密閉環境に、２つの臭いのある布地物品２０、２１のうちの処理された１つが提供される（１０２）。２つの無臭の布地物品２２、２３のうちの他方を含む第２の密閉環境に、２つの臭いのある布地物品２０、２１のうちの他方が提供される（１０３）。臭いのある布地物品２０、２１及び無臭の布地物品２２、２３は、第１の密閉環境内の２つの無臭の布地物品のうちの１つと、第２の密閉環境内の２つの無臭の布地物品のうちの他方との間に色差を生じさせる（１０４）のに十分な所定の時間、それぞれの環境でインキュベートされる。
【００２２】
本発明では、無臭の布地物品２２、２３のいずれも、悪臭に直接曝露されないが、これらの無臭の布地物品２２、２３のうちの１つは変色することが予想される。具体的には、未処理の臭いのある布地物品２０、２１からの悪臭が無臭の布地物品２２、２３に接触するとすぐに、無臭の布地物品２２、２３の色が、第１の色から第２の色に変化する。方法１００は、悪臭中和剤製品で臭いのある布地を処理することにより、布地から布地への悪臭の移行を止める利益を例示する。具体的には、工程１０１において、悪臭中和剤製品は、存在する悪臭化合物のｐＨレベルを中和し、処理された臭いのある布地物品から悪臭が蒸発して無臭の布地物品に移行することを制御する。
【００２３】
図３Ｂは、図３Ａの方法１００の変更例のフローチャートを示しており、方法１００の工程１０１、１０２、１０３、１０４に加えて、方法１００’は、変色指示薬を含む無臭の布地物品を悪臭化合物に曝露して、臭いのある布地物品を形成すること（２０１）と、臭いのある布地物品のうちの１つを悪臭中和剤製品で処理することとを含む。
【００２４】
この方法１００は、工程数が方法１００’の工程数より少ないため、ＴＶコピーとして示される実証の録画に使用するのに好適であり得る。これにより、撮影されるフレーム数及び放送時間が減少し、したがって、広告費が減少するという利点がある。方法１００’は、現地での製品のデモにおける消費者の啓発に使用するのに好適であり得る。
【００２５】
本発明による悪臭中和剤製品の有効性を実証する方法１００は、後述のように実行することができる。具体的には、図４Ａ〜図４Ｇは、悪臭中和剤製品の有効性の視覚的な実証を例示するプロセスフロー図を示す。
【００２６】
図４Ａに示すように、第１及び第２のチャンバ３０、３１は、互いに隣接し、第３のチャンバ３２は、第２のチャンバ３１に隣接している。第２のチャンバ３１は、第３の布地物品２２を含み、第３のチャンバ３２は、第４の布地物品２３を含む。第１及び第２の布地物品２０、２１は、第１のチャンバ３０内に置かれる。第１、第２、第３及び第４の布地物品２０、２１、２２、２３は、図２に示すようにｐＨ色範囲４０を有するフェノールフタレインなどの変色指示薬で処理され、ｐＨ色範囲４０内の第１の色Ａを含む。
【００２７】
図４Ｂに示すように、悪臭化合物１２のビーカー１１は、第１及び第２の布地物品２０、２１を収容する第１のチャンバ３０に、約３分間置かれる。悪臭化合物は、布地物品２０、２１、２２、２３の第１の色Ａが白色であるのに対し、明るいピンク色Ｂを呈するように構成されてもよい。これにより、第１及び第２の臭いのある布地物品２０、２１を形成する、第１及び第２の布地物品２０、２１への悪臭化合物のあらゆる移行を明瞭に視覚化することができる。
【００２８】
具体的には、図４Ｃは、第１及び第２の布地物品２０、２１に存在する変色指示薬に反応する悪臭粒子により、第１及び第２の布地物品２０、２１が第１の色Ａから第２の色Ｃへと変色したところを示す。第２の色Ｃは、悪臭化合物１２の色Ｂに対応し得る。具体的には、第１及び第２の布地物品２０、２１は、悪臭化合物１２を収容するビーカー１１から第１のチャンバ３０内の空気中に放出される悪臭を吸収している。
【００２９】
図４Ｄを参照すると、第１の臭いのある布地物品２０は、第１のチャンバ３０から取り出され、第４の布地物品２３を含む第３のチャンバ３２に置かれる。臭いのある第２の布地物品２１は、第１のチャンバ３０から取り出され、悪臭中和剤製品１３で処理されてから、図４Ｅに示すように、第３の布地物品２２を含む第２のチャンバ３１に置かれる。悪臭中和剤製品１３は、スプレーボトルで提供されてもよい。例えば、悪臭を中和するのに十分な量の悪臭中和剤製品を確保するため、臭いのある第２の布地物品２１に、悪臭中和剤製品１３を５回吹き付けてもよい。
【００３０】
図４Ｆを参照すると、第３及び第４の布地物品２２、２３は、３〜５分間インキュベートされた。第２の布地物品２１における第２の色Ｃから第３の色Ｄへの変色は、悪臭のｐＨを中和し、それによって変色指示薬の変色をもたらす、悪臭中和剤製品１３で処理したことによって生じる。
【００３１】
図４Ｇを参照すると、未処理の臭いのある第１の布地物品２０は、第３のチャンバ３２の中で再蒸発し、第４の布地製品２３に移行する悪臭を含んでいるため、第４の布地物品２３において第１の色Ａから第２の色Ｅへの変色が発生する。第３の布地物品２２には変色が発生しておらず、臭いのある第２の布地物品２１に適用された悪臭中和剤製品が、第２の布地物品２１上に存在する悪臭化合物が空気中に放出されることを防止し、したがって、悪臭は第３の布地物品２２に移行しないことを実証している。変色はまた、悪臭化合物に反応して悪臭化合物を中和する悪臭中和剤製品内の悪臭中和剤により、臭いのある第２の布地物品２１でも発生し得る。色Ｃ、Ｄ、Ｅは、図２に示すように、色範囲４０の色Ａ及びＢの範囲内であってもよい。
【００３２】
無臭の布地物品を肉眼で見えるように構成された悪臭化合物に曝露する効果は、布地が悪臭を吸収して再放出し、それゆえ、屋内などの閉空間に臭気のサイクルを生む原因となることを、変色を介して視覚的に実証することにある。悪臭のある布地を悪臭のない布地に曝露する更なる効果は、悪臭のある布地が他の清潔な布地に対して悪臭を放出し、閉空間内の悪臭に寄与することを実証することにある。
【００３３】
具体的には、図４Ｇに示すように、悪臭のある布地を他の清潔な布地に近接させると、悪臭はそれらの清潔な布地に移行し、それによって清潔な布地を汚染する。
【００３４】
本発明の利点は、悪臭を帯びた布地が他の清潔な布地を汚染し、それゆえに臭気のサイクルを生じさせ得る様子と、悪臭を帯びた布地に悪臭中和剤製品を吹き付けると、悪臭は放出されず、他の清潔な布地を汚染し得ないことと、を容易に可視化し、実証することである。結果として、臭気のサイクルは大幅に軽減されるか、又は完全に停止される。
【００３５】
更に、本発明は、メディアプラットフォーム上で利用可能な携帯用のオンサイトディスプレイ又はビデオの形式で構成された製品の実証に使用することで、悪臭を帯びた布地が他の清潔な布地を汚染し、それゆえに臭気のサイクルを生じさせることと、そのような悪臭を中和して、消費者が占有する空間内の衛生を改善するために、消費者が行う必要があることと、についての消費者の意識を高めることができる。
【実施例】
【００３６】
以下の実施例は、本発明の範囲内にある実施形態を更に説明及び実証する。これらの実施例は、例示目的のためにのみ提供され、本発明の趣旨及び範囲から逸脱することなくそれらの多くの変更が可能であることから、本発明を限定するものとして解釈されるべきではない。適用可能な場合には、成分を化学名で特定し、そうでない場合は、以下で定義する。
【００３７】
（実施例１）
方法１００、１００’及び／又は図４Ａ〜図４Ｇに示すプロセスに従って本発明を実施するために設計された実験計画を、本発明で使用される装置及び材料を記載する表１に例示する。
【００３８】
【表１】
2019518201.tif 000003
【００３９】
本発明で使用される布地は、家庭用の家具又は車両座席に使用される織物又は布地を含んでもよく、綿ポリエステル混紡、絹、綿、又はそれらの混合物のうちの１つを含んでもよい。
【００４０】
更に、本発明での使用に好適な悪臭化合物及び当該悪臭化合物を制御するための対応する悪臭中和剤製品の非限定的な例は、１９９９年８月２４日に公開された米国特許第５，９４２，２１７号、１９９９年９月２１日に公開された米国特許第５，９５５，０９３号、２０００年３月７日に公開された米国特許第６，０３３，６７９号、２０００年８月２２日に公開された米国特許第６，１０６，７３８号、２００１年９月４日に公開された米国特許第６，２８４，２３１号、１９９９年１２月７日に公開された米国特許第５，９９７，７５９号、２００６年１月１７日に公開された米国特許第６，９８７，０９９号、２００３年１２月２日に公開された米国特許第６，６５６，９２３号、２００３年３月４日に公開された米国特許第６，５２８，０１３号、１９９９年１０月１９日に公開された米国特許第５，９６８，４０４号、２００４年７月２４日に公開された米国特許第６，７６７，５０７号、２００５年４月１２日に公開された米国特許第６，８７８，６９５号、２００３年１月７日に公開された米国特許第６，５０３，４１３号、及び２００４年１月２０日に公開された米国特許第６，６８０，２８９号に詳細に記述されている。
【００４１】
以下に一例を示す。
Ａ．悪臭中和剤製品の有効性を実証する方法であって、
ａ）２つの臭いのある布地物品のうちの１つを悪臭中和剤製品で処理する工程であって、２つの臭いのある布地物品は、悪臭化合物を含み、変色指示薬で処理され、変色指示薬は、悪臭化合物との相互作用時に変色するように構成されている、工程と、
ｂ）２つの無臭の布地物品のうちの１つを含む第１の密閉環境に、２つの臭いのある布地物品のうちの処理された１つを提供する工程であって、２つの無臭の布地物品は変色指示薬で処理される、工程と、
ｃ）２つの無臭の布地物品のうちの他方を含む第２の密閉環境に、２つの臭いのある布地物品のうちの他方を提供する工程と、
ｄ）第１の密閉環境内の２つの無臭の布地物品のうちの１つと、第２の密閉環境内の２つの無臭の布地物品のうちの他方との間の色差を生じさせるのに十分な時間、無臭の布地物品及び臭いのある布地物品を第１及び第２の密閉環境内に放置したままにする工程と、を含む、方法。
Ｂ．工程（ａ）に先立って、
２つの無臭の布地物品を悪臭化合物に曝露して、２つの臭いのある布地物品を形成することを更に含む、Ａに記載の方法。
Ｃ．工程（ａ）が、
２つの臭いのある布地物品のうちの１つに悪臭中和剤製品を吹き付けることを含む、Ａに記載の方法。
Ｄ．悪臭化合物が変色指示薬を含む、Ａに記載の方法。
Ｅ．悪臭化合物が、アンモニア、チオール類、アルデヒド類、アミン類、硫化物類、脂肪酸類、アルコール類、及びこれらの混合物からなる群から選択される悪臭物質を含む、Ａに記載の方法。
Ｆ．２つの臭いのある布地物品が、家庭用、車両用及び／又は個人用物品で使用される少なくとも１つの布地を含む、Ａに記載の方法。
Ｇ．工程（ｂ）が、処理された臭いのある布地物品を、２つの無臭の布地物品のうちの１つと直接接触させることを含む、Ａに記載の方法。
Ｈ．工程（ｃ）が、臭いのある布地物品のうちの他方を、２つの無臭の布地物品のうちの他方と直接接触させることを含む、Ａに記載の方法。
Ｉ．ディスプレイ上に表示するために、工程（ａ）〜（ｄ）を生じさせることを更に含み、ディスプレイは、第１及び第２の密閉環境のそれぞれにおける透明窓である、Ａに記載の方法。
Ｊ．ディスプレイ上に表示するために、工程（ａ）〜（ｄ）を生じさせることを更に含み、ディスプレイは、第１及び第２の密閉環境から遠隔にあり、ディスプレイは、コンピューティングデバイス又はテレビの表示画面である、Ａに記載の方法。
Ｋ．悪臭中和剤製品が、悪臭化合物を吸収又は中和する悪臭中和剤成分を含む、Ａに記載の方法。
Ｌ．無臭の布地物品及び臭いのある布地物品が、綿ポリエステル混紡、絹、綿、又はそれらの混合物のうちの１つを含む、Ａに記載の方法。
Ｍ．悪臭化合物が、塩基性悪臭物質であり、変色指示薬がフェノールフタレインである、Ａに記載の方法。
Ｎ．悪臭中和剤製品の有効性を実証する方法を実証するためのキットであって、
変色指示薬で処理するための複数の無臭の布地物品と、
複数の無臭の布地物品のうちの２つを悪臭化合物に曝露して、臭いのある布地物品を提供するための第１のチャンバと、
臭いのある布地物品のうちの１つを複数の無臭の布地物品のうちの１つと一緒に置くための第２のチャンバと、
臭いのある布地物品のうちの別の１つを複数の無臭の布地物品のうちの別の１つと一緒に置くための第３のチャンバと、を含み、臭いのある布地物品のうちの１つ又は別の１つのいずれかが、悪臭中和剤製品による処理用である、キット。
Ｏ．第１、第２及び第３のチャンバのそれぞれの少なくとも１つの面が、透明又は半透明材料を含む、Ｎに記載のキット。
Ｐ．変色指示薬を含む悪臭化合物を更に含む、Ｎに記載のキット。
Ｑ．無臭の布地物品が、綿ポリエステル混紡、絹、綿、又はそれらの混合物のうちの１つを含む、Ｎに記載のキット。
Ｒ．悪臭中和剤製品の有効性を可視化する方法を実証するためのキットであって、
変色指示薬で予め処理された複数の無臭の布地物品と、
変色指示薬で予め処理された複数の臭いのある布地物品と、
複数の無臭の布地物品のうちの１つを、悪臭中和剤製品で処理された複数の臭いのある布地物品のうちの１つと一緒に置くための第１のチャンバと、
複数の無臭の布地物品のうちの別の１つを複数の臭いのある布地物品の別の１つと一緒に置くための第２のチャンバと、を含み、第１のチャンバ及び第２のチャンバのそれぞれが、臭いのある布地物品のうちの１つからの悪臭化合物との相互作用時に、変色指示薬の変色を表示するための透明窓を含む、キット。
【００４２】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば「４０ｍｍ」として開示される寸法は、「約４０ｍｍ」を意味するものとする。
【００４３】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全容が本願に援用される。いかなる文献の引用をも、本明細書中で開示又は特許請求される任意の発明に対する先行技術であるとはみなされず、あるいはそれを単独で又は他の任意の参考文献（１つ又は複数）と組み合わせたときに、そのような任意の発明を教示、示唆、又は開示するとはみなされない。更に、本文書における用語の任意の意味又は定義が、参照することにより本明細書に援用された文書内の同じ用語の意味又は定義と矛盾する場合、本文書におけるその用語に与えられた意味又は定義が適用されるものとする。
【００４４】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2019518201.tif 000004
【図２】
2019518201.tif 000005
【図３Ａ】
2019518201.tif 000006
【図３Ｂ】
2019518201.tif 000007
【図４Ａ】
2019518201.tif 000008
【図４Ｂ】
2019518201.tif 000009
【図４Ｃ】
2019518201.tif 000010
【図４Ｄ】
2019518201.tif 000011
【図４Ｅ】
2019518201.tif 000012
【図４Ｆ】
2019518201.tif 000013
【図４Ｇ】
2019518201.tif 000014
【国際調査報告】
2019518201.tif 000015
2019518201.tif 000016
2019518201.tif 000017